(57)【要約】【課題】道路標示を測量する際に測量精度を確保しつつ道路標示を効率良く測量することができる道路標示測量方法及び道路線形情報生成方法を提供する。【解決手段】道路１に標示された車線境界線２２における四角形状の矩形部２２ａの三次元位置をトータルステーション８により測量する際に、矩形部２２ａの四つ角のうち対角となる一対の角部２２ａ１，２２ａ２がトータルステーション８から鋭角として観測される位置にトータルステーション８を設置し、角部２２ａ１，２２ａ２を視準点としてトータルステーション８による測量を行う。【選択図】図４
2011242151.tif 000002
【特許請求の範囲】
【請求項１】
道路に標示された複数の角部を有する道路標示の三次元位置をトータルステーションにより測量する道路標示の測量方法であって、
前記トータルステーションを、前記道路標示の角部のうち対角となる一対の角部が当該トータルステーションから鋭角として観測される位置に設置し、
前記一対の角部を視準点として前記トータルステーションによる測量を行うことを特徴とする道路標示測量方法。
【請求項２】
前記道路標示が、道路縦断方向に沿って所定間隔おきに並ぶ車線境界線である請求項１に記載の道路標示測量方法。
【請求項３】
前記トータルステーションは、ノンプリズム方式での測距機能を有する請求項１又は２に記載の道路標示測量方法。
【請求項４】
前記トータルステーションの測量範囲が、当該トータルステーションが設置される観測点を中心として半径５０ｍ以内である請求項３に記載の道路標示測量方法。
【請求項５】
請求項１〜４のいずれか一項に記載の測量方法により得られた前記角部の座標に基づいて道路線形情報を生成することを特徴とする道路線形情報生成方法。
【発明の詳細な説明】
【技術分野】
【０００１】
本発明は、車両に提供される道路線形情報を生成するために行われる道路標示測量方法及び道路線形情報生成方法に関する。
【背景技術】
【０００２】
従来、交差点内及びその近傍での車両による交通事故を防ぐために、例えば交差点の上流側に設置された光ビーコンの通信領域から交差点の停止線までの距離情報、及び灯色の切替タイミングに関する信号情報を車両に搭載された車載機に提供し、車載機がその情報に基づいて前記交差点の手前で安全に停止できるか否か、前記交差点を安全に通過できるか否かを判断し、運転手に音声などで注意を促したり、その判断に基づいて車両のブレーキ介入を実行したりする安全運転の支援制御を行う装置がある（例えば特許文献１参照）。
【先行技術文献】
【特許文献】
【０００３】
【特許文献１】特開２００７−２９３６６０号公報
【発明の概要】
【発明が解決しようとする課題】
【０００４】
前記支援制御を正確に行うためには、交差点の停止線までの距離情報が正確である必要がある。この場合、停止線までの距離を市販の平面地図データに基づいて算出することもできるが、この平面距離は、道路の高低差Ｈ（図２参照）を考慮してないので、車両が交差点の停止線まで実際に走行する道のり距離を正確に反映していない。
【０００５】
そこで、測量機器のトータルステーションを用いて道路における車線境界線等の道路標示の三次元位置を実際に測量し、この測量データに基づいて光ビーコンの通信領域から停止線までの正確な道のり距離を算出する必要がある。その際、道路標示の測量箇所を多くすればするほど正確な測量データを得ることはできるが、その反面、作業効率が低下するという問題が生じる。
【０００６】
本発明は、前記問題点に鑑みてなされたものであり、道路標示を測量する際に測量精度を確保しつつ道路標示を効率良く測量することができる道路標示測量方法及び道路線形情報生成方法を提供することを目的とする。
【課題を解決するための手段】
【０００７】
（１）本発明の道路標示測量方法は、道路に標示された複数の角部を有する道路標示の三次元位置をトータルステーションにより測量する道路標示の測量方法であって、前記トータルステーションを、前記道路標示の角部のうち対角となる一対の角部が当該トータルステーションから鋭角として観測される位置に設置し、前記一対の角部を視準点として前記トータルステーションによる測量を行うことを特徴とする。
【０００８】
本発明の道路標示測量方法によれば、複数の角部を有する道路標示の三次元位置をトータルステーションにより測量する際に、前記複数の角度のうち対角となる一対の角部を視準点としてトータルステーションによる測量を行うようにしたので、道路標示の全ての角部を視準点として測量を行う場合に比べて作業工数を低減することができる。また、トータルステーションを、前記一対の角部が鋭角として観測される位置に設置したので、トータルステーションから一対の角部を視準し易くなり、測量誤差を抑制することができる。したがって、道路標示を測量する際に測量精度を確保しつつ道路標示を効率良く測量することができる。
【０００９】
（２）また、前記測量方法により測量する前記道路標示は、道路縦断方向に沿って所定間隔おきに並ぶ車線境界線であることが好ましい。この場合は、所定間隔おきに並ぶ車線境界線を効率良く測量することができる。
【００１０】
（３）また、前記トータルステーションは、ノンプリズム方式での測距機能を有することが好ましい。この場合は、道路標示を測量する際に視準点として反射プリズムを設置する必要がないため、道路標示をさらに効率良く測量することができる。
【００１１】
（４）また、前記トータルステーションの測量範囲は、当該トータルステーションが設置される観測点を中心として半径５０ｍ以内であることが好ましい。この場合は、トータルステーションによる測量誤差を効果的に抑制することができる。
【００１２】
（５）本発明の道路線形情報生成方法は、前述の測量方法により得られた前記角部の座標に基づいて道路線形情報を生成することを特徴とする。
本発明によれば、前述した測量方法により測量された道路標示の座標に基づいて道路線形情報を正確に生成することができる。
【発明の効果】
【００１３】
本発明によれば、道路標示の三次元位置をトータルステーションにより測量する際に、作業工数を低減することができるとともに、測量誤差を抑制することができる。したがって、道路標示を測量する際に測量精度を確保しつつ道路標示を効率良く測量することができる。
【図面の簡単な説明】
【００１４】
【図１】本発明の一実施形態に係る道路標示測量方法により測量が行われる道路の平面図である。
【図２】図１の道路の側断面図である。
【図３】トータルステーションから観測される車線境界線の形状を示す斜視図である。
【図４】車線境界線の矩形部の測量箇所を示す平面図である。
【発明を実施するための形態】
【００１５】
以下、本発明の実施の形態を図面に基づいて説明する。
図１は本発明の一実施形態に係る道路標示測量方法により測量が行われる道路の平面図であり、図２は図１の道路の側断面図である。図１において、道路１には、道路交通の円滑化を図るために道路標示２が描かれている。例えば、図１に示す片側二車線道路には、道路標示２として中央線２１、車線境界線２２及び停止線２３等が塗料等により描かれている。
【００１６】
中央線２１は、進行方向が異なる対向車線との境界線を示しており、実線状に描かれている。車線境界線２２は、片側二車線の第１車線１１と第２車線１２との境界線を示しており、道路縦断方向に沿って所定間隔おきに並ぶ複数の矩形部２２ａにより破線状に描かれている。矩形部２２ａは、四角形状に形成され、複数の角部を有している。また、停止線２３は、信号機３が設置された交差点４の手前に描かれており、第１及び第２車線１１，１２を走行する車両７が停止する停止位置を示している。道路１の幅方向両側には歩道５が設けられている。
【００１７】
交差点４の上流側には、停止線２３から所定距離を空けて光ビーコン６が設置されている。光ビーコン６は、第１車線１１及び第２車線１２にそれぞれ配置されており、車両７とその直下よりやや上流側の通信領域において、静的情報と動的情報とを含むダウンリンク信号を車両７に搭載された車載機７ａへ送信する。ここで、静的情報とは、時間の経過とともに内容が変動しない情報であり、動的情報とは、時間の経過とともに内容が変動する情報である。静的情報としては、例えば道路の形状に関する道路形状情報が挙げられる。道路形状情報とは、例えば、光ビーコン６よりも少し上流側にある光ビーコン６と車載機７ａとの路車間通信領域の上流端から停止線２３までの道路の車線数、道路の道のり距離（前記高低差Ｈを考慮した距離）Ｌ１，Ｌ２等を含む情報である。この道路線形情報は、例えば各光ビーコン６に記憶されている。動的情報としては、例えば信号情報が挙げられる。信号情報とは、例えば、信号機３の黄信号開始時点、黄信号時間、赤信号時間等の信号灯色の切替タイミングに関する情報を指す。
【００１８】
車載機７ａは、光ビーコン６から受信した道路線形情報に基づいて、現走行位置から車両進行方向前方の停止線２３までの距離Ｌｃを求める。そして、この距離Ｌｃと前記信号情報に基づいて、交差点４を安全に通過若しくは停止できるか否かを車載機７ａが判断し、その判断に基づいて車両７に対してブレーキ介入を実行する安全運転の支援制御を行う。例えば、交差点４の手前で安全に停止できると判断した場合には、停止線２３までの距離Ｌｃに基づいて、車両７を徐々に減速させ、前記距離Ｌｃを進んだ時点で車両７の速度がゼロとなるように支援制御する。
【００１９】
次に、光ビーコン６から道路線形情報として提供される第１及び第２車線１１，１２の道のり距離Ｌ１，Ｌ２を算出するために行われる道路標示２の測量方法について、図面を参照しながら説明する。本実施形態では、図１に示すように、光ビーコン６よりも少し上流側にある光ビーコン６と車載機７ａとの路車間通信領域の上流端から停止線２３までの道路１上に描かれている車線境界線２２の三次元位置を、測量機器であるトータルステーション８を用いて測量する場合について説明する。ここで、トータルステーションとは、光波測角儀（トランシット）と光波測距儀の機能を併せ持つ光波測距測角儀であり、内蔵のコンピュータにより測量データの記録、座標の計算、出力までを自動的に行うものである。本実施形態のトータルステーション８は、視準点として反射プリズムの設置を必要としない所謂ノンプリズム方式の測距機能を有している。
【００２０】
図１において、まずトータルステーション８を、光ビーコン６に近い歩道５上に設置する。その際、トータルステーション８は、後述するように車線境界線２２の矩形部２２ａの角部２２ａ１，２２ａ２がトータルステーション８から鋭角として観測されるように観測点Ａに設置する（図３参照）。なお、観測点Ａの位置座標は、光ビーコン６近傍に（好ましくは最も近くに）設置されている公共基準点Ｐの位置座標に基づいて求めることができる。
【００２１】
次に、観測点Ａに設置されたトータルステーション８の望遠鏡８ａから、車線境界線２２の測量対象となる矩形部２２ａを測量する。図３は、望遠鏡８ａから観測される矩形部２２ａの形状を示す斜視図である。図３に示すように、望遠鏡８ａから観測される矩形部２２ａの形状は、長手方向両端に対角となる一対の角部２２ａ１及び２２ａ２があり、これらの角部２２ａ１，２２ａ２が鋭角となる菱形状となっている。
【００２２】
図４は、車線境界線２２の矩形部２２ａの測量箇所を示す平面図である。矩形部２２ａの測量は、図４に示すように、矩形部２２ａの四つ角のうち前記一対の角部２２ａ１，２２ａ２のみを視準点として前述のノンプリズム方式で測量を行う。
【００２３】
具体的には、トータルステーション８の望遠鏡８ａから鋭角に観測される各角部２２ａ１，２２ａ２を直接視準する。視準が完了すると、望遠鏡８ａから各角部２２ａ１，２２ａ２に向けて赤外レーザ光を出射し、各角部２２ａ１，２２ａ２において反射した反射光を受光して測距・測角する。測距・測角後は、これによって得られた角度及び距離から各角部２２ａ１，２２ａ２の三次元位置の座標を計算し、この座標データを測量結果としてトータルステーション８に記録する。
【００２４】
観測点Ａでの測量が終了すると、トータルステーション８を観測点Ａより下流側（停止線２３側）に位置する観測点Ｂ，Ｃ及びＤへ順次移動させて、上述と同様の手順で、各観測点Ｂ〜Ｄに設置されたトータルステーション８により未測量の矩形部２２ａを測量する。その際、観測点Ｂの位置座標は観測点Ａの位置座標、観測点Ｃの位置座標は観測点Ｂの位置座標、観測点Ｄの位置座標は観測点Ｃの位置座標に基づいてそれぞれ求めることができる。なお、観測点Ｂ〜Ｄは、すべて歩道５上に設けられている。
【００２５】
各観測点Ａ〜Ｄにおけるトータルステーション８の測量範囲は、トータルステーション８が設置される各観測点Ａ〜Ｄを中心として半径５０ｍ以内としている。したがって、各観測点Ａ〜Ｄの位置は、前記測量範囲に基づいて定められる。なお、各観測点Ａ〜Ｄに設置されたトータルステーション８により、矩形部２２ａの測量とともに、第１車線１１と歩道５との境界（歩道縁）等も測量する。
【００２６】
トータルステーション８により道路１の光ビーコン６から停止線２３までの間の測量が完了すると、トータルステーション８に記録された座標データに基づいて、道路線形情報を生成する。具体的には、トータルステーション８に記憶された各矩形部２２ａの角部２２ａ１，２２ａ２の三次元位置に基づいて、コンピュータ上で各矩形部２２ａの形状を再現する。そして、再現された各矩形部２２ａによって特定される各車線を区切る境界線や別途測量された路肩や中央線２１に関するデータに基づいてコンピュータ上に道路形状を再現させる。
そして、再現させた道路形状の各車線の左右両端の位置から車線中央を通る中心線を求め、その中心線上に設けた離散点に関する情報（離散点間の距離等）を道路線形情報に含める。
道路線形情報を受信した車両７の車載機７ａは、自己が走行している車線の番号を光ビーコン６との路車間通信によって取得することができるので、受信した道路線形情報のうち、自己が走行している車線番号に対応する道路線形情報を読み出すことが可能である。従って、走行車線に対応する前記中心線上の離散点に関する情報を順番に読み込んで、それらの離散点間の距離を合計することで停止線２３までの道のりを精度よく把握することが可能になる。
【００２７】
以上、本発明の実施形態に係る道路標示測量方法によれば、車線境界線２２における四角形状の矩形部２２ａの三次元位置をトータルステーション８により測量する際に、矩形部２２ａの四つ角のうち対角となる一対の角部２２ａ１，２２ａ２のみを視準点としてトータルステーション８による測量を行うようにしたので、矩形部２２ａの四つ角すべてを視準点として測量を行う場合に比べて作業工数を低減することができる。また、トータルステーション８を、前記角部２２ａ１，２２ａ２が鋭角として観測される位置に設置したので、トータルステーション８から各角部２２ａ１，２２ａ２を視準し易くなり、測量誤差が生じるのを抑制することができる。したがって、道路縦断方向に沿って所定間隔おきに並ぶ車線境界線２２を測量する際に測量精度を確保しつつ車線境界線２２を効率良く測量することができる。
【００２８】
また、トータルステーション８は、ノンプリズム方式での測距機能を有しているため、車線境界線２２を測量する際に、視準点として反射プリズムを設置する必要がないため、車線境界線２２をさらに効率良く測量することができる。また、観測点Ａ〜Ｄは全て歩道５上に設けられているため、トータルステーション８を歩道５側に設置して測量することができる。したがって、交通規制をすることなく車線境界線２２を測量することができる。
【００２９】
また、トータルステーション８の測量範囲は、トータルステーション８を中心として半径５０ｍ以内としているため、トータルステーション８による測量誤差を効果的に抑制することができる。
【００３０】
また、本発明の実施形態に係る道路線形情報生成方法によれば、前述の道路標示測量方法により測量された車線境界線２２の三次元位置の座標データに基づいて道路線形情報が生成されるため、道路線形情報を正確に生成することができる。
【００３１】
なお、今回開示された実施の形態はすべての点で例示であって制限的なものでないと考えられるべきである。本発明の範囲は、上記した意味ではなく、特許請求の範囲によって示され、特許請求の範囲と均等の意味、及び範囲内でのすべての変更が含まれることが意図される。
【００３２】
例えば、道路標示２の測量方法は、破線状の車線境界線２２以外に、停止線２３や他の複数の角部を有する道路標示（例えば「横断歩道又は自転車横断帯あり」を示す菱形状のマーク等）の測量にも適用することができる。
また、トータルステーション８による測量は、ノンプリズム方式以外に、反射プリズムを使用するプリズム方式で行うことも可能である。
【００３３】
さらに、本発明の道路標示測量方法により測量された測量結果に基づいて生成された道路線形情報は、車両６に対してブレーキ介入を実行する支援制御に用いられているが、車両６を運転しているドライバに停止や減速を促す警告を音声によって出力したり、車内に搭載したモニタに表示させる支援制御に用いられてもよい。
【符号の説明】
【００３４】
１    道路
２    道路標示
８    トータルステーション
２２    車線境界線
２２ａ１，２２ａ２    角部
Ａ〜Ｄ    観測点
【図１】
2011242151.tif 000003
【図２】
2011242151.tif 000004
【図３】
2011242151.tif 000005
【図４】
2011242151.tif 000006